(57)【要約】【課題】電源のメンテナンスが不要なＩＤカードにより入退出情報及び位置情報を管理する。【解決手段】無線通信可能なＩＤ記憶媒体と、管理区域内に配置された送受信装置とを用いて、管理区域内におけるＩＤ記憶媒体の位置情報を管理する位置情報管理システムのサーバが、ＩＤ記憶媒体の識別情報と、送受信装置の識別情報と、アクセス時刻とを対応付けて登録するための位置情報データベースと、送受信装置からＩＤ記憶媒体の識別情報及び送受信装置の識別情報を受信する手段と、受信したＩＤ記憶媒体の識別情報が位置情報データベースに存在するか否かを判定する手段と、存在する場合は、対応する送受信装置の識別情報及びアクセス時刻を更新する手段と、存在しない場合は、新たにＩＤ記憶媒体の識別情報と、送受信装置の識別情報と、アクセス時刻とを対応付けて位置情報データベースに登録する手段と、を有する。【選択図】図１
2013206223.tif 000002
【特許請求の範囲】
【請求項１】
識別情報を記憶しかつ無線通信可能なＩＤ記憶媒体と、管理区域内に配置され前記ＩＤ記憶装置と無線通信可能であり識別情報をもつ送受信装置とを用いて、前記管理区域内における前記ＩＤ記憶媒体の位置情報を管理するサーバを備えたシステムにおいて、前記サーバが、
前記ＩＤ記憶媒体の識別情報と、前記送受信装置の識別情報と、前記ＩＤ記憶媒体と前記送受信装置が管理区域内で無線通信を行ったアクセス時刻とを対応付けて登録するための位置情報データベースと、
前記ＩＤ記憶媒体の識別情報を無線通信により取得した前記送受信装置から、前記ＩＤ記憶媒体の識別情報及び前記送受信装置の識別情報を受信する手段と、
受信した前記ＩＤ記憶媒体の識別情報が前記位置情報データベースに存在するか否かを判定する手段と、
受信した前記ＩＤ記憶媒体の識別情報が前記位置情報データベースに存在する場合は、対応する前記送受信装置の識別情報及び前記アクセス時刻を更新する手段と、
受信した前記ＩＤ記憶媒体の識別情報が前記位置情報データベースに存在しない場合は、新たに前記ＩＤ記憶媒体の識別情報と、前記送受信装置の識別情報と、前記アクセス時刻とを対応付けて前記位置情報データベースに登録する手段と、を有することを特徴とする
位置情報管理システム。
【請求項２】
前記管理サーバがさらに、
シーケンス番号と、前記ＩＤ記憶媒体の識別情報と、前記ＩＤ記憶媒体と前記送受信装置が管理区域内で最初に無線通信を行った登録時刻と、前記ＩＤ記憶媒体と前記送受信装置が管理区域内で無線通信を行わなくなった削除時刻と、を対応付けて登録するための入退出履歴データベースと、
受信した前記ＩＤ記憶媒体の識別情報が前記位置情報データベースに存在しない場合に、新たにシーケンス番号と、前記ＩＤ記憶媒体の識別情報と、前記登録時刻とを対応付けて前記入退出履歴データベースに登録する手段と、
前記ＩＤ記憶媒体と前記送受信装置が管理区域内で無線通信を行わなくなったことを確認した場合に、前記入退出履歴データベースにおける対応する前記ＩＤ記憶媒体の識別情報の前記削除時刻を記録する手段と、を有することを特徴とする請求項１に記載の位置情報管理システム。
【請求項３】
前記位置情報データベースの各レコードが更新フラグを含んでおり、
前記管理サーバがさらに、
全てのレコードの更新フラグを初期化する手段と、
管理区域内に存在する全ての前記ＩＤ記憶媒体を対象として前記送受信装置に対し無線通信を行わせる手段と、
前記ＩＤ記憶媒体の識別情報を無線通信により取得した前記送受信装置から、前記ＩＤ記憶媒体の識別情報及び前記送受信装置の識別情報を受信する手段と、
受信した前記ＩＤ記憶媒体の識別情報に対応するレコードの前記更新フラグを更新する手段と、
前記更新フラグが更新されたか否かを判定することにより、前記ＩＤ記憶媒体と前記送受信装置が管理区域内で無線通信を行わなくなったことを確認する手段と、を有することを特徴とする請求項２に記載の位置情報管理システム。
【請求項４】
前記請求項１〜３のいずれかに記載の位置情報管理システムにおいて使用される前記ＩＤ記憶媒体であって、使用時に充電可能な電源を備えていることを特徴とするＩＤ記憶媒体。
【発明の詳細な説明】
【技術分野】
【０００１】
本発明は、太陽電池等により常に充電され無線通信機能を備えたＩＤカードを用いて、管理区域への入退出情報を含む管理区域内における位置情報を管理する、位置情報管理システムに関する。
【背景技術】
【０００２】
入退出の管理のために、非接触ＩＤカードが使用され出入り口に設置された受信機に、非接触ＩＤカードを近づけることにより、識別情報を読み取り、そのカード保持者を認証することが行われている。
また、位置情報の管理のために、数十メートルの通信距離のあるＩＤカードを用いて、ＩＤカードと受信機が多対１の通信を行うことで、ＩＤカードを受信機に近づけなくとも識別情報を読み取り、そのカード保持者の位置情報をリアルタイムに更新可能なシステムがある。
例えば特許文献１には、非接触ＩＤカードを識別装置が自動的に読み取り位置情報を登録／更新するシステムが開示されている。特許文献２には、特定エリア内で携帯機器の送信する識別情報を監視装置が読み取り別の携帯機器へ警告を通知するシステムが開示されている。
【０００３】
なお、数メートルの通信にはＲＦＩＤのアクティブタグ、Bluetooth（登録商標）、無線ＬＡＮ、ZigBee（登録商標）などの方式が利用される。
【０００４】
また、特許文献３には、内蔵する発電回路により充電される二次電池を備え赤外線通信を行う携帯ＩＤタグが開示されている。特許文献４には、太陽電池と通信部と表示部とを有する表示デバイスが開示されている。
【先行技術文献】
【特許文献】
【０００５】
【特許文献１】特開２０００−１１１２３号公報
【特許文献２】特開２００５−２７７７９７号公報
【特許文献３】特開２００６−１２１８２６号公報
【特許文献４】特開２０１０−６７００６号公報
【発明の概要】
【発明が解決しようとする課題】
【０００６】
入退出や位置情報の管理で数十センチの通信距離の非接触型ＩＤカードを使用した場合には、ＩＤカードの保持者が意識的に受信機に近づける必要がある。特に位置情報を登録するためだけに、ＩＤカードを意識的に受信機に近づけることは手間がかかる作業である。さらに、受信機とは１対１で使用する必要があるため、多数の人数の把握には時間がかかる。
【０００７】
そこで、数十メートルの通信距離をもつ電波を利用したＩＤカードを用い、ＩＤカードと受信機の間で多対１の通信を行うことにより、通信範囲内に存在するＩＤカードの保持者を速やかに検出することが可能である。しかし、長距離の電波通信では電力が必要となるため、ＩＤカードに電源を組み込むことが必要となる。それに伴い、電池交換、充電などメンテナンスも必要となる。
【０００８】
本発明の目的は、電源のメンテナンスが不要なＩＤカード等のＩＤ記憶媒体を利用して、保持者の管理区域への入退出情報を含む管理区域内における位置情報を管理する、位置情報管理システムを提供することにある。
【課題を解決するための手段】
【０００９】
上記目的を達成するために、本発明の位置情報管理システムは、以下の構成を提供する。
識別情報を記憶しかつ無線通信可能なＩＤ記憶媒体と、管理区域内に配置され前記ＩＤ記憶装置と無線通信可能であり識別情報をもつ送受信装置とを用いて、前記管理区域内における前記ＩＤ記憶媒体の位置情報を管理するサーバを備えたシステムにおいて、前記サーバが、前記ＩＤ記憶媒体の識別情報と、前記送受信装置の識別情報と、前記ＩＤ記憶媒体と前記送受信装置が管理区域内で無線通信を行ったアクセス時刻とを対応付けて登録するための位置情報データベースと、前記ＩＤ記憶媒体の識別情報を無線通信により取得した前記送受信装置から、前記ＩＤ記憶媒体の識別情報及び前記送受信装置の識別情報を受信する手段と、受信した前記ＩＤ記憶媒体の識別情報が前記位置情報データベースに存在するか否かを判定する手段と、受信した前記ＩＤ記憶媒体の識別情報が前記位置情報データベースに存在する場合は、対応する前記送受信装置の識別情報及び前記アクセス時刻を更新する手段と、受信した前記ＩＤ記憶媒体の識別情報が前記位置情報データベースに存在しない場合は、新たに前記ＩＤ記憶媒体の識別情報と、前記送受信装置の識別情報と、前記アクセス時刻とを対応付けて前記位置情報データベースに登録する手段と、を有することを特徴とする。
上記システムにおいて、前記管理サーバがさらに、シーケンス番号と、前記ＩＤ記憶媒体の識別情報と、前記ＩＤ記憶媒体と前記送受信装置が管理区域内で最初に無線通信を行った登録時刻と、前記ＩＤ記憶媒体と前記送受信装置が管理区域内で無線通信を行わなくなった削除時刻と、を対応付けて登録するための入退出履歴データベースと、受信した前記ＩＤ記憶媒体の識別情報が前記位置情報データベースに存在しない場合に、新たにシーケンス番号と、前記ＩＤ記憶媒体の識別情報と、前記登録時刻とを対応付けて前記入退出履歴データベースに登録する手段と、前記ＩＤ記憶媒体と前記送受信装置が管理区域内で無線通信を行わなくなったことを確認した場合に、前記入退出履歴データベースにおける対応する前記ＩＤ記憶媒体の識別情報の前記削除時刻を記録する手段と、を有することが、好適である。
上記システムにおいて、前記位置情報データベースの各レコードが更新フラグを含んでおり、前記管理サーバがさらに、全てのレコードの更新フラグを初期化する手段と、管理区域内に存在する全ての前記ＩＤ記憶媒体を対象として前記送受信装置に対し無線通信を行わせる手段と、前記ＩＤ記憶媒体の識別情報を無線通信により取得した前記送受信装置から、前記ＩＤ記憶媒体の識別情報及び前記送受信装置の識別情報を受信する手段と、受信した前記ＩＤ記憶媒体の識別情報に対応するレコードの前記更新フラグを更新する手段と、前記更新フラグが更新されたか否かを判定することにより、前記ＩＤ記憶媒体と前記送受信装置が管理区域内で無線通信を行わなくなったことを確認する手段と、を有することが、好適である。
上記システムにおいて使用される前記ＩＤ記憶媒体は、使用時に充電可能な電源を備えていることが、好適である。
【発明の効果】
【００１０】
本発明の位置情報管理システムによれば、少なくとも次のような効果がある。
（１）ＩＤカードの保持者は、受信機にＩＤカードを接触させる必要が無い。
（２）複数のＩＤカードの通信を同時に行うことができる。
（３）ＩＤカードの保持者の管理区域内での実在（すなわち管理区域への入退出）、及び、管理区域内における位置を、任意の時刻において確認することができる。
【図面の簡単な説明】
【００１１】
【図１】図１は、本発明の実施の形態の一例を示すシステム構成図である。
【図２】図２は、位置情報データベースのデータ構成例の図である。
【図３】図３は、入退出情報データベースのデータ構成例の図である。
【図４】図４は、ＩＤカードの処理概要を示すフローチャートである。
【図５】図５は、管理サーバにおける受動更新の処理を示すフローチャートである。
【図６】図６は、管理サーバにおける能動更新の処理を示すフローチャートである。
【発明を実施するための形態】
【００１２】
以下、本発明を適用した、位置情報管理システムの実施の形態について説明する。
図１は、一実施例を示すシステム構成図である。位置情報管理システムは、ＩＤカード１０１ａ、１０１ｂ、１０１ｃ、１０１ｄと、ＩＤカードと無線通信する送受信装置１０２ａ、１０２ｂと、送受信装置からＩＤカードの識別番号及び送受信装置の双方の識別番号を受信し、管理する機能をもつ管理サーバ１０４と、管理区域への入退出及び管理区域内での位置の管理状況を確認するための表示部１０８と、を備えている。通常、ＩＤカード及び送受信装置は複数存在し、それぞれ必要な個数設けられる。
【００１３】
ＩＤカード１０１ａ、１０１ｂ、１０１ｃ、１０１ｄは、各カード保持者がそれぞれ保持する。例えば、名札タイプのものである。ＩＤカードは、送受信装置１０２ａ、１０２ｂと近距離無線通信する機能を備えた通信部と、一意に割り当てられた識別情報を記憶した記憶部と、電源とを具備する。通信部及び記憶部は、内蔵する電源からの電力により駆動される。
【００１４】
本実施例では、ＩＤカードとして説明するが、本質的には、電源と無線通信機能を備えかつ識別情報を記憶したＩＤ記憶媒体である。ＩＤ記憶媒体の形状や大きさなどの具体的形態は、カードやタグなど多様に実施可能である。
【００１５】
電源は、電池交換及び外部充電が不要、すなわちメンテナンスが不要であることが好ましい。また、使用中に継続的に電源に充電可能であることが好ましい。例えば電源は、太陽電池である。また例えば、電源は、外部からの照射光を受光して発電する発電回路と、発電回路の出力する電力により充電される二次電池とを備えたものでもよい。保持者は、ＩＤカードの使用中、電源が常に充電可能であるような形態でＩＤカードを保持するようにする。例えば、照射光が必要であれば、ＩＤカードの使用中にはＩＤカードがなるべく照射光に露出されるようにする。
【００１６】
送受信装置１０２ａ、１０２ｂは、管理区域内の適宜の位置にそれぞれ設置される。送受信装置は、ＩＤカード１０１ａ、１０１ｂ、１０１ｃ、１０１ｄと近距離無線通信する機能を有する第１の通信部と、通信路１０３を介して管理サーバ１０４と通信する機能を有する第２の通信部と、送受信装置の識別情報を記憶した記憶部とを具備する。
【００１７】
ＩＤカード１０１ａ、１０１ｂ、１０１ｃ、１０１ｄは、電波によってデータの送受信が可能である。ＩＤカードは、送受信装置１０２ａ、１０２ｂから送信される電波を検知すなわち受信した場合に、その送受信装置との通信を開始する。このとき、ＩＤカードは、自己のもつ識別番号を送受信装置に対して送信する。送受信装置は、送信電波強度の変更が可能であり、電波強度に応じて、通信可能な距離も変化する。ＩＤカードを送受信装置にかざす必要がないように、少なくとも数ｍ程度の通信距離を有することが好ましい。送受信装置は、ＩＤカードと無線通信を行った場合に、受信したＩＤカードの識別番号と送受信装置自身の識別番号を管理サーバ１０４に送信する。
【００１８】
ＩＤカードと送受信装置の間の無線通信方式としては、ＲＦＩＤのアクティブタグ、Bluetooth（登録商標）、無線ＬＡＮ、ZigBee（登録商標）などが利用可能である。
【００１９】
管理サーバ１０４は、位置情報データベース１０５及び入退出履歴データベース１０６の２つのデータベース（ＤＢ）に対する処理を行うＤＢ処理部と、２つのデータベースの検索処理を行う検索処理部１０７とを備えている。管理サーバ１０４の処理機能は、適宜のコンピュータに導入されたプログラムをＣＰＵがメモリに読み込み実行することにより実現される。
【００２０】
管理サーバ１０４は、ＩＤカード（カード保持者）の管理区域内での位置情報を位置情報ＤＢ１０５にて管理し、管理区域への入退出履歴を入退出履歴ＤＢ１０６にて管理する。位置情報ＤＢ１０５に対しては、管理区域内での位置情報の登録、更新及び削除を行う。入退出履歴ＤＢ１０６に対しては、管理区域への入退出履歴に関する登録及び更新を行う。
【００２１】
検索処理部１０７は、ＩＤカード（カード保持者）の管理区域内での位置情報、又は、管理区域への入退出履歴を確認するための検索を行う。検索処理部１０７に対する検索条件の入力及び検索結果の出力は、表示部１０８において行う。表示部１０８は、管理サーバ１０４に接続された端末装置である。
【００２２】
図２は、図１に示した位置情報ＤＢ１０５のデータ構成例を示した図である。位置情報ＤＢ１０５は、管理区域内におけるＩＤカードの位置情報を管理するためのデータベースである。位置情報ＤＢ１０５のレコードは、「ＩＤカードの識別番号」１０５ａ、「送受信装置の識別番号」１０５ｂ、「アクセス時刻（年月日時分秒）」１０５ｃ、「更新フラグ」１０５ｄの４項目を含む。
【００２３】
位置情報ＤＢ１０５のレコードは、ＩＤカードがいずれかの送受信装置により最初に（ここでは、"前回退出してから最初に"の意味）無線通信を行った場合に追加される。さらに、その後、当該ＩＤカードが別の送受信装置と無線通信を行った場合は、当該レコードの少なくとも「送受信装置の識別番号」及び「アクセス時刻（年月日時分秒）」が更新される。「アクセス時刻（年月日時分秒）」は、実質上、ＩＤカードと送受信装置の間で無線通信が行われた時刻を意味する。そして、当該ＩＤカードがいずれの送受信装置とも無線通信を行わなくなったことが確認された場合は、当該レコードが削除される。「更新フラグ」は、図５で説明する受動更新においては、レコード追加時に"０"にセットされ、レコード更新時に"１"にセットされる。また「更新フラグ」は、図６で説明する能動更新の実行時には別の処理を適用される。
【００２４】
図３は、図１に示した入退出履歴ＤＢ１０６のデータ構成例を示した図である。入退出履歴ＤＢ１０５は、管理区域へのＩＤカードの入退出を管理するためのデータベースである。入退出履歴ＤＢのレコードは、「シーケンス番号」１０６ａ、「ＩＤカードの識別番号」１０６ｂ、「登録時刻（年月日時分秒）」１０６ｃ、「削除時刻（年月日時分秒）」１０６ｄの４項目を含む。
【００２５】
入退出履歴ＤＢ１０６のレコードは、ＩＤカードがいずれかの送受信装置と最初に（ここでは、"前回退出してから最初に"の意味）無線通信を行った場合に追加され、「登録時刻（年月日時分秒）」記録される。「シーケンス番号」は、レコード作成順を示す連番である。「登録時刻（年月日時分秒）」は、実質上、ＩＤカードと送受信装置の間で最初に無線通信が行われた時刻を意味する。すなわち、管理区域への入場時刻を示す。そして、当該ＩＤカードがいずれの送受信装置とも無線通信を行わなくなったことが確認された場合に当該レコードに「削除時刻（年月日時分秒）」が記録される。すなわち、管理区域からの退出時刻を示す。
【００２６】
以下、図１に示したシステムの動作フローを説明する。なお、以下の説明では、図１中の符号を参照する場合がある。
【００２７】
図４は、ＩＤカード１０１ａの処理概要を示すフローチャートである。ＩＤカード１０１ａが電波を検知していない状態では、電波の受信状態のチェック（ステップ２０２）が行われ、待機状態（ステップ２０１）に遷移することを繰り返す。送受信装置１０２ａからの電波の受信範囲に入った場合、受信状態のチェック（ステップ２０２）において電波の受信を検知し、送受信装置１０２ａとの通信を開始する（ステップ２０３）。
【００２８】
ＩＤカード１０１ａの識別番号が"ＡＡＡＡＡＡＡＡ"であり、送受信装置１０２ａの識別番号が"ＡＰ０００１"である場合、ＩＤカード１０１ａは、記憶部に格納された自己の識別番号"ＡＡＡＡＡＡＡＡ"を送受信装置１０２ａに対して送信する（ステップ２０３）。送信後、受信状態のチェック（ステップ２０４）が行われ、受信状態である限り、受信状態のチェック（ステップ２０４）が繰り返される。受信していなければ受信待ち状態で待機（ステップ２０１）に遷移する。なお、送受信装置１０２ａは、受診したＩＤカード１０１ａの識別番号"ＡＡＡＡＡＡＡＡ"と、自己の送受信装置１０２ａの識別番号"ＡＰ０００１"とを管理サーバ１０４に送信する。
【００２９】
図５は、管理サーバ１０４の受動更新の概要を示すフローチャートである。受動更新により、ＩＤカードの管理区域内での、現時点での位置を管理できる。
【００３０】
管理サーバ１０４は、送受信装置１０２ａからＩＤカード１０１ａの識別番号"ＡＡＡＡＡＡＡＡ"と送受信装置１０２ａの識別番号"ＡＰ０００１"を受信する（ステップ３０１）。続いて、各ＤＢへの管理情報登録を行うため、位置情報ＤＢ１０５にＩＤカードの識別番号"ＡＡＡＡＡＡＡＡ"が存在するか否かを判定する（ステップ３０２）。
【００３１】
ステップ３０２で位置情報ＤＢ１０５にＩＤカードの識別番号が存在する場合には、位置情報ＤＢ１０５を更新する（ステップ３０３）。
位置情報ＤＢ１０５の更新は、図２で示した位置情報ＤＢ１０５のレコードの「ＩＤカードの識別番号」が一致するレコードに対して、「送受信装置の識別番号」、「アクセス時刻（年月日時分秒）」、「更新フラグ」の３項目を更新し、「更新フラグ」には"１"がセットされる。この場合、入退出履歴ＤＢ１０６に対しては処理を行わない。
【００３２】
ステップ３０２で位置情報ＤＢ１０５にＩＤカードの識別番号が存在しない場合には、入退出履歴ＤＢ１０６へのレコード追加（ステップ３０４）と位置情報ＤＢ１０５へのレコード追加（ステップ３０５）を行う。
入退出履歴ＤＢ１０６へのレコード追加（ステップ３０４）は、図３で示した入退出履歴ＤＢ１０６の新たなレコードに対して「シーケンス番号」、「ＩＤカードの識別番号」、「登録時刻（年月日時分秒）」を追加する。「削除時刻（年月日時分秒）」は空欄とする。
位置情報ＤＢ１０５へのレコード追加（ステップ３０５）は、図２で示した位置情報ＤＢ１０５の新たなレコードに対して「ＩＤカードの識別番号」、「送受信装置の識別番号」、「アクセス時刻（年月日時分秒）」、「更新フラグ」の４項目の追加を行う。当初の「アクセス時刻（年月日時分秒）」は、入退出履歴ＤＢ１０６の「登録時刻（年月日時分秒）」と一致している。「更新フラグ」には当初は"０"がセットされる。
【００３３】
図６は、管理サーバ１０４の能動更新の概要を示すフローチャートである。能動更新は、ユーザの指示または定期的な実行により、管理区域内におけるＩＤカードの存在確認のために実行する。これにより、ＩＤカードの管理区域への入場及び管理区域からの退出を管理できる。
【００３４】
まず、位置情報ＤＢ１０５の全てのレコードの「更新フラグ」を"０"（初期化）にセットする（ステップ４０１）。次に、ＩＤカードの存在確認のため、全ての送受信装置１０２ａ、１０２ｂに対して、入退出の管理区域で送受信可能となる十分な強度のある電波の送信を指示する（ステップ４０２）。入退出の管理区域に存在するＩＤカード１０１ａ、１０１ｂ、１０１ｃ、１０１ｄは、電波を受信したいずれかの送受信装置１０２ａ、１０２ｂに対して応答し、上述した図４、図５で示した通り、位置情報ＤＢ１０５が更新される。すなわち、「更新フラグ」に"１"がセットされる。
【００３５】
次に、位置情報ＤＢ１０５のレコードの「更新フラグ」が"０"であるレコードを検索する（ステップ４０３）。更新フラグが"０"であるレコードのＩＤカードは、管理区域内で送受信装置との無線通信を行わなくなった、すなわち管理区域内に存在しないとみなして、入退出情報ＤＢ１０６を更新する（ステップ４０４）。
入退出情報ＤＢ１０６の更新は、更新フラグが"０"であるレコードの「ＩＤカードの識別番号」と一致する値を、入退出情報ＤＢ１０６の「シーケンス番号」の大きい順（新しい順）から検索し、一致したレコードの「削除時刻（年月日時分秒）」を記録する。一方、位置情報ＤＢ１０５からは、「ＩＤカードの識別番号」と一致するレコードを削除する（ステップ４０５）。
【００３６】
検出処理部１０７における検出処理について説明する。ＩＤカードの位置情報については、位置情報ＤＢ１０５に登録された「ＩＤカードの識別番号」をキーにして検索することで「送受信装置の識別番号」が分かり、この送受信装置の識別番号から、当該送受信装置が設置された物理的な位置が分かるため、現在、その付近にそのＩＤカードが存在することを特定できる。また、現在、管理区域内に存在しないことも確認できる。
【００３７】
以上のように、管理区域への入退出の管理と、管理区域内での位置情報の管理が可能である。
【００３８】
ところで、ＩＤカードは、メンテナンス不要の電源を備えることにより十分な電力を有しているため、センサを組み込んだり、ＩＤカード自体に発光や音による警告を発させたりすることが可能である。また、ＩＤカードを名札として任意の文字を表示させることも可能である。
【００３９】
上述した位置情報管理システムの効果を、以下にまとめて記載する。
（１）入退出管理において、ＩＤカードをかざす必要がなく、位置情報の把握が可能である。
（２）アクティブタグであるが、十分な電力を使用できる。
（３）例えば、危険エリアに近づいた場合に、ＩＤカード自体が発光や音による警告を発することが可能である。
（４）ＩＤカードに表示機能を持たせ、管理区域外の場所では表示を消すようにする。例えば、学生など常に名札を付けている場合に、学校外で他人に名前を知られないためである。
（５）任意のタイミングで特定エリアの人数確認が可能となる。災害時の避難先で、モバイル端末による人数確認や、学校の教室での出席確認などが可能となる。
【００４０】
なお、上記実施例においては、送受信装置と管理サーバが設置された建物を例に挙げて説明したが、管理サーバを送受信装置が組み込まれたモバイル端末としても、同様に適応できる。また、管理サーバが複数存在する場合であっても、相互に管理情報を通信することで一元管理することは可能である。
【符号の説明】
【００４１】
１０１ａ、１０１ｂ、１０１ｃ、１０１ｄ…ＩＤカード、１０２ａ、１０２ｂ…送受信装置、１０３…通信路、１０４…管理サーバ、１０５…位置情報データベース、１０６…入退出履歴データベース、１０７…検索処理部、１０８…表示部
【図１】
2013206223.tif 000003
【図２】
2013206223.tif 000004
【図３】
2013206223.tif 000005
【図４】
2013206223.tif 000006
【図５】
2013206223.tif 000007
【図６】
2013206223.tif 000008